(57)【要約】【課題】信号灯器を滅灯させることなく常設の交通信号制御機の更新工事を行う。【解決手段】  動作モードの選択機能を主機能とし、選択的に利用される従機能として手動動作機能と、ステップ秒数変更機能と、閃光機能とをケース内に有している。動作モードの選択機能は、交差点規模に適合した信号現示の動作モードを選択する機能であり、動作モードの選択によって、設定した最大ステップと最大灯器数との組合わせの範囲内で、選択肢として２種類以上の信号現示の動作モードが設定される。手動動作モードは、信号現示のステップの歩進を手動で行う機能であり、ステップ秒数変更機能は、信号現示のステップの歩進の秒数を変更する機能であり、閃光機能は、信号灯器の閃光動作を行う機能である。更新工事中、常設の交通信号制御機に代えて、上記機能を実行する。【選択図】  図７
2007148539.tif 000002
【特許請求の範囲】
【請求項１】
少なくとも動作モードの選択機能をケースに内蔵した工事用簡易交通信号制御機であって、
ケースは、携行が可能な可搬型であり、
動作モードの選択機能は、２種類以上の信号現示が設定できることを特徴とする工事用簡易交通信号制御機。
【請求項２】
動作モードの選択機能を主機能とし、選択的に利用される従機能として手動動作機能と、ステップ秒数変更機能と、閃光機能とを有する工事用簡易交通信号制御機であって、
手動動作モードは、信号現示のステップの歩進を手動で行う機能であり、
ステップ秒数変更機能は、信号現示のステップの歩進の秒数を変更する機能であり、
閃光機能は、信号灯器の閃光動作を行う機能であることを特徴とする請求項１に記載の工事用簡易交通信号制御機。
【請求項３】
常設の交通信号制御機に代えて信号灯器の現示を制御する工事用簡易交通信号制御機であって、
灯器用ケーブルと、電源用ケーブルとを有し、
灯器用ケーブルは、工事用簡易交通信号制御機と、交通信号制御機の端子箱の空き端子列間に接続され、少なくとも動作モードの選択機能にて選択された信号現示の動作モードを信号灯器に出力するものであり、
電源用ケーブルは、工事用簡易交通信号制御機と、交通信号制御機の端子箱の空き端子列間に接続され、ケースに内蔵された各機能の実行に必要な電源を端子箱を通じて工事用簡易交通信号制御機に給電するものであることを特徴とする請求項１又は２に記載の工事用簡易交通信号制御機。
【請求項４】
ケース内に制御電源およびブレーカを有し、
制御電源は、電源用ケーブルを通じて給電された交流電源を直流電源に変換して前記各機能に給電するものであり、
ブレーカは、制御電源への給電或いはその遮断を行うものであることを特徴とする請求項１に記載の工事用簡易交通信号制御機。
【請求項５】
ケースは、少なくとも動作モードの選択機能によって選択された特定の動作モードを出力する灯器コネクタおよび工事用簡易交通信号制御機に給電する電源用のコネクタを有し、
前記灯器用ケーブルは該灯器コネクタに脱着可能に接続され、
前記電源用ケーブルは、該電源用コネクタの脱着可能に接続されるものであることを特徴とする請求項３に記載の工事用簡易交通信号制御機。
【請求項６】
前記ケースは開閉可能であり、動作モードの選択機能および手動動作機能、ステップ秒数変更機能、閃光機能を選択的に実行するスイッチおよび押しボタン類はケース内に収容され、さらに、手動動作機能によって選択されたステップで歩進させる操作用ボタンはケース内に設置するほか、リモートコントロール用にケースの外部にも取付けを可能としたことを特徴とする請求項２に記載の工事用簡易交通信号制御機。
【請求項７】
動作モードの選択機能は、選択肢として少なくとも単路交差点、二現示交差点、三現示交差点および歩車分離交差点の動作モードを有することを特徴とする請求項１に記載の工事用簡易交通信号制御機。
【発明の詳細な説明】
【技術分野】
【０００１】
本発明は、常設の交通信号制御機の更新工事の際に用いる工事用簡易交通信号制御機に関する。
【背景技術】
【０００２】
交通信号制御機の更新工事などの際には、常設の交通信号制御機の機能を一旦停止させなければならない。その間、交差点では交通信号機の信号灯器が滅灯となる。信号灯器の滅灯の期間は、交通安全を確保するため、警察官や係員が交差点に立って手信号により交通整理を行われる。交通信号制御機の故障に際しては、信号灯器を滅灯させずに制御部の交換を可能とする試みはあった。このような試みとして、特許文献１には、制御部と灯器開閉部の間に、制御部が出力する点灯・滅灯の組合せ信号を時系列に記憶し、制御部に機能障害が発生した時に記憶した組合せ信号を順次に出力可能な制御信号記憶再生部を付加し、この制御信号記憶再生部又は制御部が出力する組合せ信号に基づいて信号灯器の点灯・滅灯制御を行うようにした交通信号制御機が記載されている。
【０００３】
この交通信号制御機によれば、制御部が正常な時に点灯・滅灯の組合せ信号を制御信号記憶再生部に記憶しておくことによって、制御部の機能障害発生時には制御信号記憶再生部に記憶した組合せ信号を読み出し出力するため、信号灯器を滅灯せずに制御部の交換作業が可能となり、信号制御機に不測の事態が発生して制御部が故障した時には、灯器開閉部によって制御部の機能が補完されるため、交差点の交通安全を確保できる。
【０００４】
しかしながら、このような交通信号制御機といえども、制御部と灯器開閉部を含めて更新工事を行うときには、交通信号制御機の機能を一旦停止しなければならないのであって、その工事期間の信号灯器の滅灯が避けられるわけではない。交通信号制御機自体の更新工事は、交通信号制御機そのものの機能を停止させなければ、作業を行うことができないからである。
【０００５】
もし、交通信号制御機の更新工事期間中であっても、信号灯器を滅灯させないためには、たとえば、代わりの仮設の交通信号機を設置するという方法が考えられる。仮設の信号機として代表的なものは道路工事用の仮設信号機である。しかし、道路工事用の仮設信号機は、そのほとんどが片側交通制御を円滑に行うためのものであって、交差点の固有の信号階梯に適合するようには設計されていないため、道路工事用の交通信号機を３差路、４差路といった交差点に設置することはできない。
【特許文献１】特許公開２００２−１４０７９４公報
【特許文献２】特許公開２０００−１８２１９１公報
【発明の開示】
【発明が解決しようとする課題】
【０００６】
解決しようとする問題点は、交通信号制御機の更新工事の際には、交通信号制御機の機能を一旦停止させなければならず、したがって、信号灯器を滅灯させずに交通信号制御機の更新工事を行うことができなかった点である。
【課題を解決するための手段】
【０００７】
本発明は、各種交差点形状に適合する複数の動作モードを有する交通信号制御機の機能を有し、動作モードを適宜選択して常設の交通信号制御機の更新工事期間中、常設の交通信号制御機の機能に代えて常設の交通信号機の信号現示（階梯）を制御する点を最大の特徴とする。
【発明の効果】
【０００８】
本発明による工事用簡易交通信号制御機によれば、常設の交通信号制御機の更新工事現場に搬入し、常設の交通信号制御機に代えてその交差点に適合した動作モードで交通信号機を動作させることができ、信号灯器を滅灯させずに交通信号制御機の更新工事を行うことができる。
【発明を実施するための最良の形態】
【０００９】
信号灯器を滅灯させずに常設の交通信号制御機の更新工事を行うという目的を、信号灯器の現示の動作モードを選択できる交通信号制御機機能を可搬型のケース内に内蔵することによって実現した。
【実施例１】
【００１０】
本発明による工事用簡易交通信号制御機は、主機能として動作モードの選択機能と、主機能のほか、任意に選択される従機能として手動動作機能と、ステップ秒数変更機能と、閃光機能とを有している。動作モードの選択機能は、  動作モードの選択機能は、２種類以上の信号現示が設定できる機能、すなわち、予め用意された２種類以上の信号現示の中から交差点規模に適合した信号現示を任意に選択する機能である。動作モードの選択によって、設定した最大ステップと最大灯器数との組合わせの範囲内で、２種類以上の信号現示の動作モードを設定できる。手動動作モードは、信号現示のステップの歩進を手動で行う機能、ステップ秒数変更機能は、信号現示のステップの歩進の秒数を変更する機能である。さらに、閃光機能は、信号灯器の閃光動作を行う機能であり、たとえば、主道路の信号現示を黄色点滅、従道路の信号現示を赤点滅させる機能である。本発明による工事用簡易交通信号制御機は、上記機能を可搬型のケース内に収めたものである。
【００１１】
図１に本発明による工事用簡易交通信号制御機の構造を示す。図１において、本発明の工事用簡易交通信号制御機１は、可搬型のケース（トランクケース）２内に上記機能を組み込んだものである。可搬型のケース２には、上記各機能を実現するために必要な制御・入出力基板３と、交流電源を各機能の実行に必要な直流電源に変換する制御電源４と、制御電源４への給電或いはその遮断を行うブレーカ５とが内蔵されている。可搬型のケース２は、図１（ｂ）のようにケース本体６と上蓋７とが一縁のヒンジ８によって開閉可能に結合されたものであり、制御・入出力基板３と、制御電源４と、ブレーカ５とは図１（ｃ）に示すようにケース本体６側に収納され、ケース２の上蓋７には、図１（ａ）のように制御電源４に給電する電源ケーブル用コネクタ９と、制御・入出力基板３の出力端子に接続されて、灯器制御信号を出力する灯器用コネクタ１０および後述する現示ステップの手動操作用コネクタ１１が取り付けられている。なお、各コネクタ９，１０，１１にはいずれも防水処理が施されている。
【００１２】
さらに、制御・入出力基板３は制御用の制御パネル１２を備え、上蓋７には、外部からパネル面を透視させる表示窓１３が開口され、表示窓１３にはアクリル板などの透明板が取り付けられている。図中２ａは、ケース２の取っ手である。図２に制御・入出力基板の制御パネル１２を示す。制御パネル１２には、現示用モニタ１４および、項目１ボタン１５，項目２ボタン１６，設定スイッチ１７，設定ボタン１８，閃光スイッチ１９，手動スイッチ２０，手動１ボタン２１並びに液晶カウンタ２２が取り付けられている。
【００１３】
現示用モニタ１４は、第1方向信号灯器の現示用モニタ１４ａ（１Ｇ，１Ｙ、１Ｒ，１ＰＧ，１ＰＲ，１Ａ）、第２方向信号灯器の現示用モニタ１４ｂ（２Ｇ，２Ｙ、２Ｒ，２ＰＧ，２ＰＲ，２Ａ）、第３方向信号灯器の現示用モニタ１４ｃ（３Ｇ，３Ｙ、３Ｒ，３ＰＧ，３ＰＲ，３Ａ）を有し、単路交差点、二現示交差点、三現示交差点 、歩車分離交差点での信号灯器の現示を点灯によって表示するものである。
【００１４】
設定スイッチ１７は、動作モード選択機能およびステップ秒数変更機能における動作モード変更の設定、ステップの秒数変更の設定に用いるスイッチ、設定ボタン１８は、選択されたモードの確定、選択されたステップの秒数の確定に用いる押しボタン、項目１ボタン１５，項目２ボタン１６は変更したいステップの秒数を選択する押しボタンであり、項目２ボタン１６は、動作モード変更に際して動作モードの選択にも用いられる。選択された動作モードの種類および選択されたステップの秒数は、カウンタ２２にデジタル表示される。
【００１５】
閃光スイッチ１９は、二現示交差点の主道路の黄灯および従道路の赤灯を点滅させる操作用のスイッチである。手動スイッチ２０は、信号灯器の現示ステップの秒数変更やステップの歩進を手動で行う場合の設定のためのスイッチであり、手動１ボタン２１は、ステップの歩進の変更およびステップの手動歩進の操作用押しボタンである。手動ボタン２１は、ケース２の制御パネル１２に取り付けられたもののほか、ケース２の上蓋７に設置された手動操作用コネクタ１１に図３に示すように押しボタンとして別途に外部手動ボタン２１ａのケーブルを接続し、ケース２を閉じた状態で外部手動ボタン２１ａを扱ってステップの秒数変更あるいはステップの歩進操作をリモートコントロールによって行うことができる。
【００１６】
図３に、本発明の工事用簡易制御機の機能構成図を示す。図３において、制御・入出力基板３は、制御部２３と、灯器出力部２４とからなっている。制御部２３には、各機能の実行に必要な指令を出すＣＰＵ２５のほか、前記ＬＥＤ表示器（液晶カウンタ）２２と現示用モニタ１４とが設けられている。灯器出力部２４は、制御部２３につながれており、ＣＰＵ２５によって点灯パターンが制御され、交差点の規模に応じた信号モードで交通信号機の各信号灯器に現示信号を出力するものである。実施例では、最大１５ステップ、最大灯器数１８の範囲で交差点規模に応じて、選択肢として単路交差点、二現示交差点、三現示交差点と、歩車分離交差点との４種類の信号現示モードに対応できるように設計したが、用意された最大ステップの範囲内でかつ灯器の数の範囲内であれば、その他の信号モードを追加することも勿論可能である。
【００１７】
図４に、現示交差点の信号現示モードを選択したときの信号現示の出力例を示す。１Ｇ、１Ｙ、１Ｒは、それぞれ図５に示す十字路の第１方向Ｄ１の車道の信号灯器Ｓ１の青灯、黄灯、赤灯、２Ｇ、２Ｙ、２Ｒはそれぞれ第２方向Ｄ２の車道の信号灯器Ｓ２の青灯、黄灯、赤灯、１ＰＧ、１ＰＲは、第１方向Ｄ１の歩道の信号灯器Ｐ１の青灯、赤灯、２ＰＧ、２ＰＲは、第２方向Ｄ２の歩道の信号灯器Ｐ２の青灯、赤灯、１Ａ，２Ａは右折あるいは左折車両に対する進行指示の矢印灯であるが、この例では１Ａ，２Ａを使用していない。各灯は、第１の現示ステップ１Ｓ（１Ｇ，１ＰＧ、２Ｒ、２ＰＲ点灯）から第２の現示ステップ２Ｓ，第３の現示ステップ３Ｓ・・・の順序で点灯あるいは滅灯し、１ＰＧ，２ＰＧにはさらに点滅が加わり、最終の第１０現示ステップＳ１０では、第１方向Ｄ１，第２方向Ｄ２の赤灯（１Ｒ，２Ｒ，１ＰＲ，２ＰＲ）が点灯して予め定められたステップの秒数が経過後、第１の現示ステップ１Ｓに戻る。
【００１８】
本発明の工事用簡易交通信号制御機を用いて交通信号機の信号現示を制御するには、常設の交通信号制御機に備えた端子箱を使用する。図６において、常設の交通信号制御機２８の端子箱２６には、灯器出力ケーブルＬ１が接続された端子２７ａと、各信号灯器Ｓ１，Ｓ２およびＰ１，Ｐ２にそれぞれ通じる信号ケーブルＬ２ａ〜Ｌ２ｄが接続された端子列２７ｂのほか、いくつかの空き端子列２７ｃ，２７ｄを備え、各端子列２７ａ〜２７ｄには、交流電圧１００Ｖが印加されている。本発明は、いずれかの空き端子列を利用して工事用簡易交通信号制御機１を接続するものである。以下に図７のフローを参照して本発明の工事用簡易交通信号制御機を用い、交差点の交通信号制御機の更新工事を行う際の取付け並びに動作の手順を説明する。
【００１９】
（１）初期設定
まず、初期設定として工事用簡易交通信号制御機１の設定を行う。図６において、まず、常設の交通信号制御機２８に備えた端子箱２６の空き端子列のひとつを選定し、その空き端子列、例えば図６に示す端子列２７ｂに灯器ケーブルＬ３の各配線を交通信号制御機２８からの灯器出力ケーブルＬ１の各配線と並列に接続するが、この段階では灯器ケーブルＬ３を工事用簡易交通信号制御機１のケース２に備えた灯器ケーブル用コネクタ１０とは切り離しておく（ＳＴＥＰ  Ｓ１）。次に、電源ケーブルＬ４の１端を端子２７ｂに接続すると共に他端をケース２の電源ケーブル用コネクタ９に接続し（ＳＴＥＰ  Ｓ２）、続いてケース２を開き、ケース本体６内のブレーカ５をＯＮして制御電源４を投入する（ＳＴＥＰ  Ｓ３）。制御電源４の投入によって、工事用簡易交通信号制御機１はスタンバイの状態になる。
【００２０】
（２）動作モード選択機能の実行
工事用簡易交通信号制御機１がスタンバイの状態で工事用簡易交通信号制御機１に設定されている信号の動作モードがその交差点に適合したものかどうかを判断し、モードが適合していない場合には、交差点にあった適正な動作モードに変更を行う。動作モードの変更の操作は、工事用簡易交通信号制御機１の電源を一旦切り（ＳＴＥＰ  Ｓ４）、制御パネル１２の設定スイッチ１７をＯＮにし（ＳＴＥＰ  Ｓ５）、再度、工事用簡易交通信号制御機１の制御電源４を投入する（ＳＴＥＰ  Ｓ６）。制御電源４の投入により、動作モードの変更操作が可能となる。動作モードの選択は項目２ボタン１６を扱って行う（ＳＴＥＰ  Ｓ７）。項目２ボタン１６を押すたびに動作モードが数値として液晶カウンタ２２に表示される。たとえば、動作モードは、交差点の形状に対応して少なくとも２種類以上、この例では「１」は、単路交差点、「２」は、二現示交差点、「３」は、三現示交差点、「４」は、歩車分離の十字路交差点などに４つの選択肢が用意されている。この中から、目的とする信号現示パターンの動作モードが選択されれば、設定ボタン１８を押して選択を確定し（ＳＴＥＰ  Ｓ８）、制御パネル１２の設定スイッチ１７をＯＦＦにして（ＳＴＥＰ  Ｓ９）、動作モードの変更を完了する。
【００２１】
（３）ステップ秒数変更機能の実行
次に、工事用簡易交通信号制御機１に設定されている交通信号灯器のステップ秒数（信号灯器の点灯パターンごとに現示が切替わる間隔）を変更する必要がある場合には、現示ステップの秒数の変更を行う。現示ステップの秒数の変更の操作は、まず、制御パネル１２の手動スイッチ２０をＯＮにし（ＳＴＥＰ  Ｓ１０）、次いで設定スイッチ１７をＯＮにする（ＳＴＥＰ  Ｓ１１）。手動１ボタン２１を押して変更したいステップ１Ｓ〜１０Ｓのいずれかを選択する（ＳＴＥＰ  Ｓ１２）。次に、項目１ボタン１５と項目２ボタン１６を適宜押して変更したい秒数にする（ＳＴＥＰ  Ｓ１３）。項目１ボタン１５と項目２ボタン１６を押すことによって、液晶カウンタ２２には、ステップの秒数が数字でデジタル表示される。目的とする秒数が選択されれば、設定ボタン１８を押して選択を確定し（ＳＴＥＰ  Ｓ１４）、制御パネル１２の設定スイッチ１７をＯＦＦにし（ＳＴＥＰ  Ｓ１５）、手動スイッチ２１をＯＦＦにして（ＳＴＥＰ  Ｓ１６）変更を完了する。
【００２２】
（４）工事用簡易交通信号制御機への切替え操作
交通信号制御機２８の工事を行う間は、常設の交通信号制御機２８に代えて本発明による工事用簡易交通信号制御機１を使用する。まず、初期設定を終えた工事用簡易交通信号制御機１のブレーカ５を落として電源を遮断し（ＳＴＥＰ  Ｓ１７）、灯器ケーブルＬ３を灯器用コネクタ１０に接続する（ＳＴＥＰ  Ｓ１８）。これによって工事用簡易交通信号制御機１は、各信号灯器Ｓ１，Ｓ２およびＰ１，Ｐ２と電気的に導通状態になるが、電源が遮断されているので各信号灯器Ｓ１，Ｓ２およびＰ１，Ｐ２には、制御信号は発信されない。交通信号制御機２８から発信される信号現示指令の現示ステップ１Ｓ〜１０Ｓが最終ステップＳ１０になるまでそのまま待機する。最終ステップ１０Ｓになったとき、すなわち、各信号灯器Ｓ１，Ｓ２およびＰ１，Ｐ２の各陣号灯器の現示が赤灯現示になったときに、交通信号制御機２８の電源を切断し、工事用簡易交通信号制御機１の電源を投入する（ＳＴＥＰ  Ｓ１９）。以後、交通信号制御機による信号現示の制御は停止し、各信号灯器Ｓ１，Ｓ２およびＰ１，Ｐ２は、工事用簡易交通信号制御機１による制御に切り替えられ、各信号灯器は、図４に示す現示ステップ１Ｓ〜１０Ｓの順序で制御され、ケースを閉じて交通信号制御機の更新工事が終了するまでの間、交差点の信号灯器の現示切り替えの制御を常設の交通信号制御機１８に代えて工事用簡易交通信号制御機１にて行う。なお、電源を含めた更新工事の場合、発動発電機による工事用簡易交通信号機１への供給も可能である。
【００２３】
（５）手動動作機能の実行
交通信号制御機２８の更新工事中は、交通信号灯器のステップは工事用簡易交通信号制御機１の制御によって、自動的に現示ステップで１Ｓ〜１０Ｓの順序で切替られてゆくが、ステップは手動によって切替えることもできる。手動動作は、ケース２を閉じた状態で操作することができ、交通信号灯器の点灯状態は表示窓１３を通して現示用モニタ１４を見ながら確認できる。
もし、手動動作をする場合には、手動スイッチ２０をＯＮにした後（ＳＴＥＰ  Ｓ２０）、手動１ボタン２１を押して現示ステップを歩進させる（ＳＴＥＰ  Ｓ２１）。手動での作業が終了したら、手動スイッチ２０をＯＦＦにし（ＳＴＥＰ  Ｓ２２）、手動動作を終了する。現示ステップの歩進操作は、前述のように必ずしもケース内に収められた制御パネル１２の手動１ボタン２１を扱う場合に限らず、ケース２を閉じた状態で手動操作用コネクタ１１に、図３に示す外部手動ボタン２１ａのケーブルを差し込んで外部手動ボタン２１ａの操作でリモートコントロールによって歩進させることができる。
【００２４】
（６）閃光機能の実行
また、交通信号制御機２８の標準機能である信号灯器を閃光させることができる。信号灯器を閃光させるには、閃光スイッチ１９をＯＮにして閃光を行う（ＳＴＥＰ  Ｓ２３）。閃光を終了させるときには、閃光スイッチ１９をＯＦＦにする（ＳＴＥＰ  Ｓ２４）。
なお、手動による現示ステップの歩進操作、閃光現示を行うかどうかは任意であり、工事が終了するまでの間、いつでも行うことができる。
【００２５】
（７）終了操作
交通信号制御機２８の更新工事が終了したら、工事用簡易交通信号制御機１の機能を終了させる。終了に際しては、最終の現示ステップ１０Ｓの時間内で工事用簡易交通信号制御機１の電源を切断し、交通信号制御機２８の電源を投入する（ＳＴＥＰ  Ｓ２５）。端子箱２６から、工事用簡易交通信号制御機１から伸びた電源用ケーブル，灯器用ケーブル，手動用ケーブルをはずし（ＳＴＥＰ  Ｓ２６）、終了操作を完了する。
【００２６】
他の交差点の交通信号機について、交通信号制御機の更新工事を行う場合にも全く同様にその交差点の動作モードに合わせて工事用簡易交通信号制御機の動作モードを変更し、更新工事を行うべき交通信号制御機の機能に代えて交差点の信号灯器の現示制御を行う。
【産業上の利用可能性】
【００２７】
本発明による工事用簡易交通信号制御機を用いることにより、信号灯器を滅灯させることなく交通信号制御機の更新工事を行うことが可能となり、更新工事が必要な交通信号制御機の動作モードに併せて動作モードを選択することができる。さらに、本発明の工事用簡易交通信号制御機は、動作モードの選択機能のほか、交通信号制御機としての必要な機能が可搬型のケースにコンパクトに収められているため、作業員が工事現場に携行し、常設の交通信号制御機の更新工事の期間中、常設の交通信号制御機に代えて信号灯器の信号現示を制御できる。
【図面の簡単な説明】
【００２８】
【図１】本発明による工事用簡易交通信号制御機の機能を組み込んだ可搬型ケースを示すもので、（ａ）はケースの平面図、（ｂ）は同正面図、（ｃ）は開蓋状態の平面図である。
【図２】制御・入出力基板に備えた制御パネルを示す図である。
【図３】本発明による工事用簡易交通信号制御機の機能構成図である。
【図４】信号灯器の現示ステップの１例を示す図である。
【図５】十字路の歩車分離交差点の例を示す図である。
【図６】交通信号機の端子箱に工事用簡易交通信号制御機を接続する要領を示す図である。
【図７】本発明による工事用簡易交通信号制御機の動作フローを示す図である。
【符号の説明】
【００２９】
１  工事用簡易交通信号制御機
２  ケース
３  制御・入出力基板
４  制御電源
５  ブレー
６  ケース本体
７  上蓋
８  ヒンジ
９  電源ケーブル用コネクタ
１０  灯器用コネクタ
１１  手動操作用コネクタ
１２  制御パネル
１３  表示窓
１４  現示用モニタ
１５  項目１ボタン
１６  項目２ボタン
１７  設定スイッチ
１８  設定ボタン
１９  閃光スイッチ
２０  手動スイッチ
２１  手動１ボタン
２１ａ  外部手動ボタン
２２  液晶カウンタ
２３  制御部
２４  灯器出力部
２５  ＣＰＵ
２６  端子箱
２７ａ〜２７ｄ  端子列
２８  交通信号制御機
【図１】
2007148539.tif 000003
【図２】
2007148539.tif 000004
【図３】
2007148539.tif 000005
【図４】
2007148539.tif 000006
【図５】
2007148539.tif 000007
【図６】
2007148539.tif 000008
【図７】
2007148539.tif 000009